Podtech/llm-jp-corpus-v4-ja_patent huggingface dataset:
(57)【要約】【課題】  エンジン付き草刈機の回転刃が、左回転だけでなく右回転もできる回転刃と、回転刃が人の脚などに当たっても、脚を切断する切断事故や死亡事故にならない回転刃を提供する。【解決手段】  回転刃の刈刃を回転板の外周より内側の回転板の中に入れて、その刈刃の両側には刃を付け刈刃の先端にはガードを付けて、回転刃が回転すると刈刃の先端に付けたガードが回転して回転刃の外周を回り、回転刃に脚などが当たってもガードが脚を跳ね返して刈刃に付いた刃に当たらないようにする、刈刃の先端にガードを付けたことにより刈刃の両側に刃を付ける事ができ、回転刃が左回転だけでなく右回転も出来るようになりエンジン付き草刈機の回転レバーを操作して、素早く簡単に回転刃を反転することができる特徴がある。【選択図】図１
2015062413.tif 000002
【特許請求の範囲】
【請求項１】
エンジン付き草刈機の回転刃において、回転刃の刈刃を回転板の外周より内側の回転板の中に入れ、中に入れた刈刃は両側に刃を付け先端にはガードを付けて、ガードは回転刃が回転すると同時に回転して回転刃の外周をまわり、脚などに回転刃が当たっても刈刃の先端に付けたガードが脚を防護して、刈刃に付けた刃に当たらないようにする、回転刃に付けたガードは間隔が非常に狭く尚且つ回転しているのでガードは連なって繋がり完全な円盤状の板となって当たるので当たる時の衝撃は非常に弱く、当たっても大怪我をしないで軽い打撲程度の軽傷で済むようになり、回転刃が当たり脚を切断するような切断事故や死亡事故を防ぐことを特徴とする。
【請求項２】
エンジン付き草刈機の回転刃の刈刃を回転板の中に入れ、その刈刃の先端にガードを付けることで刈刃の両側に刃を付けることが出来るようになり、従来は左回転だけであった回転刃が草刈機の回転レバーを操作することで簡単に反転することが出来るようになり、回転刃が左回転だけでなく右回転も出来ることを特徴とする請求項１記載の回転刃。
【発明の詳細な説明】
【技術分野】
【０００１】  この発明は、エンジン付き草刈機（刈払機）の回転刃に関するものである。
【背景技術】
【０００２】  従来のエンジン付き草刈機の回転刃は回転板の外周に刈刃が付いている為に、回転刃が人体などに当たると大怪我をしたり死亡事故になっていた。また、回転板の外周に付いた刈刃の刃は左に反り、回転刃の回転は左回転用だけであった。
【発明の概要】
【発明が解決しようとする課題】
【０００３】  エンジン付き草刈機の回転刃が、人の脚などに当たるとき回転刃の外周が当たります。従来の回転刃はその外周に刈刃が付いていました。草刈をするとき回転刃を左右に振るようにして草を刈って行くので、危険ゾーンに人がいてもエンジン音などで気づかず、振り向いたときに回転刃が当たるケースが多く、回転刃は高速で回転しているので、振った勢いがついたまま当たると鋭い刃で切り裂いたようになり、脚の切断事故や死亡事故になっている。毎年多くの事故が起き、死亡者も毎年出ているのが実情である。【０００４】  また、回転板の外周に付いた刃は地面や小石等に直接当たり刃が早く摩耗したり破損して刃の研磨等が頻繁になり、回転刃の取替えも余儀なくされ作業効率も悪くなっている。そして、破損した刃の破片による飛散物の事故も多い。本発明は以上のような欠点をなくすためになされたものである。
【課題を解決するための手段】
【０００５】  回転刃の刈刃を回転板の外周より内側（回転板の中）に入れ、刈刃の先端にはガードを付け、回転刃が回転するとガードも一緒に回転して回転刃の外周を回り、回転刃に脚等が当たってもガードが脚を跳ね返し防護する。ガードは衝突時の衝撃を和らげる為、ガード部分は回転刃の板の厚みより少し厚くして、カドを取って丸くしたもので、ガードに脚等が当たってもガードがクッションの役目をするので、大怪我にならないで軽い打撲程度の軽傷で済むようになる。【０００６】  また、回転刃が脚などに当たるときはまずガードに当たり、ガードは間隔が非常に狭く尚且つ回転しているので、回転刃が回転するとガードは連なって繋がり、回転刃は完全な円盤状の板となる、これは単純に円盤状の板が当たるのと同じで、当たる時の衝撃は非常に弱くなって当たっても大怪我をしたり死亡事故にはならないようになる。【０００７】  刈刃の先端にガードを付ける事で、刈刃の両サイドに刃を付ける事が出来るようになり、回転刃が左回転だけでなく右回転も出来るようになる。回転刃に草等が絡まっても回転刃のレーバーを操作して反転する事で簡単に草などのカラミを解消する事ができる。
【発明の効果】
【０００８】  回転刃の刃を回転板の中に入れる事で、刃が地面や小石等に直接当たらないようになり刃の摩耗や破損も減り回転刃の取替えも少なくなる。回転刃の回転も左回転にも右回転にも出来るようになり、草が絡んでも回転刃を反転するだけで解消でき作業効率も良くなる。また、刃が破損して刃の破片等による飛散物の事故も減少し、回転刃が脚等に当たり足を切断するような大事故や死亡事故も無くなる。
【図面の簡単な説明】
【０００９】
【図１】  本発明の回転刃の平面図（２４枚刃）。
【図２】  本発明の回転刃の半径の断面図（刈刃の先端にガードが付く）
【図３】  本発明の回転刃の刈刃の拡大図（刈刃の先端にガードが付く）
【発明を実施するための形態】
【００１０】  本発明の実施形態について図面を参照して説明する。図１は、本発明の回転刃の平面図で、左回転にも右回転にも出来る回転刃です。エンジン付き草刈機で回転刃に草などが絡んだ時、レバーを操作することで簡単に反転することが出来絡みを解消する事が出来る。図２は、本発明の回転刃の半径の断面図で回転刃の外径は２サイズに統一されているので、ガード間の間隔は刈刃の枚数などにより変わり、刈刃の長さや刈刃の幅などによって大きく形が変わります。回転刃のガードの間隔（隙間）は非常に狭く、尚且つ回転しているので隙間から中に入る物は非常に小さい物に限られます。図３は、本発明の回転刃で刈刃と刈刃の先端に付いたガードの拡大図です。ガードは回転して回転刃の外周を回り回転刃に当たる物をガードが防護する役目をします。
【産業上の利用可能性】
【００１１】  本発明の回転刃は、回転刃が万一人の脚等に当たっても大怪我をしたり死亡事故にならないようになり、回転刃の刃を回転板の中に入れることで左回転だけでなく右回転も出来るようになり作業効率も良くなり、刃の破片などによる飛散物の事故も減少して、安全な回転刃として利用される。
【符号の説明】
【００１２】Ａ  回転板（刈刃の先端に付くガード部分まで含めて回転板とする）
Ｂ  刈刃（両側に刃が付き、先端にはガードが付く）
Ｃ  刈刃の両側に付いた刃（両刃）
Ｄ  刈刃の先端に付いたガード
Ｅ  ガードとガードの間隔
Ｆ  刈刃の刃の反り
Ｇ  刈刃の幅員
Ｈ  刈刃の長さ
【図１】
2015062413.tif 000003
【図２】
2015062413.tif 000004
【図３】
2015062413.tif 000005
(57)【要約】【課題】  自分でスタイリングしても、うまくコツをつかめなかった。利き手の関係で、左右対象にするには、簡単ではなかった。本発明は、巻き髪をするための、カールヘアーブラシを提供する。【解決手段】  ブラシ部、ブラシ回転棒、歯車、が繋がっており、握り部の下部にレールを設け、中心に回転棒を通し、歯車をレールに挟みます。軽く握るとスクリュー回転することを特徴とするヘアーブラシ。【選択図】図１
2015062645.tif 000002
【特許請求の範囲】
【請求項１】
ブラシ部、ブラシ回転棒、歯車部、が繋がっており、（ブラシ部は取り外し可）
握り部の中心に、回転棒を固定部に通し、握り部、下部に設けたレールに歯車を挟みます。
【発明の詳細な説明】
【技術分野】
【０００１】本発明は、ヘアースタイルを自然な感じに、巻き髪にするヘアーブラシに関するものである。
【背景技術】
【０００２】従来、巻き髪にするためには、ヘアーブラシ自体、手首を返し、ひねり、ヘアードライヤーを当てブロー（セット）していた。
【先行技術文献】
【特許文献】
【０００３】
【特許文献１】
【発明の概要】
【発明が解決しようとする課題】
【０００４】左右対象に巻くためには、利き手の関係でうまく巻けなかった。
本発明は、以上の問題点を解決するためになされたものである。
【課題を解決するための手段】
【０００５】ブラシ部、ブラシ回転棒、歯車部、が繋がっており、握り部の下部にレールを設け握り部の中心に、回転棒を固定部に通し、歯車をレールに挟みます。
以上の構成よりなるカールヘアーブラシ。
【発明の効果】
【０００６】本発明により、ヘアーブラシを軽く握るだけで、ブラシ部が回転し、巻き髪が出来る。
【図面の簡単な説明】
【０００７】
【図１】本発明の斜視図
【図２】本発明の使用状態を示す斜視図
【発明を実施するための形態】
【０００８】以下の、本発明の実施の形態を説明する。
（イ）二又状の握り部（１）下部に（５）を設ける。
（ロ）（３）、（２）、（４）は、一体化している。（３）は取り外せる。
（ハ）（１）と（３）の境目辺りに、（６）を設ける。
（ニ）（６）に（２）を通し、（４）を（５）に挟む。
本発明は以上のような構造である。
本発明を使用するときは、握り部（１）を軽く握ります。歯車部（４）、レール部（５）によって、ブラシ回転棒（２）がスクリュー回転します。固定部（６）によって安定しブラシ部（３）が回ります。それによりブラシ部（３）と髪が絡みヘアードライヤーを当てることにより、自然な巻き髪になります。
【符号の説明】
【０００９】１  握り部、  ２  ブラシ回転棒、  ３  ブラシ部、  ４  歯車部、
５  レール部、  ６  固定部、
【図１】
2015062645.tif 000003
【図２】
2015062645.tif 000004
(57)【要約】【課題】家庭などでヘッドマッサージをしても、指のあて方、手順など感覚でマッサージをしていた。本発明は、ひと目でポイント、手順がわかるヘッドマッサージ専用タオルを提供する。【解決手段】頭部タオル、肩タオル、各１枚は、後首部のマジックテープで脱着し、ほぐしポイントが、描かれている。胸部付近にポケットが付いていることを特徴とするヘッドマッサージ専用タオル。【選択図】図３
2015062646.tif 000002
【特許請求の範囲】
【請求項１】
頭にかぶるタオル地１枚、首、肩までかけるタオル地１枚、後首部のマジックテープにより脱着が出来る。各部位には、指のあて方、手順などが描かれておりひと目で、ほぐしポイントがわかるようになっている。リンパの流れをよくするため胸部付近にホットカイロなどが入れられるポケットが付いている。ヘッドマッサージ専用タオル。
【発明の詳細な説明】
【技術分野】
【０００１】本発明は、家庭でもヘッドマッサージでのほぐし、指圧ポイント、指の置き方、手順などが、描かれているタオルに関するものである。
【背景技術】
【０００２】従来、ヘッドマッサージの手順など、プロの技術者の仕事であった。
【先行技術文献】
【特許文献】
【０００３】
【特許文献１】
【発明の概要】
【発明が解決しようとする課題】
【０００４】  家庭などで、ヘッドマッサージをしても、指のあて方、手順など感覚でマッサージをしていた。本発明は、以上の問題点を解決するためになされたものである。
【課題を解決するための手段】
【０００５】  頭にかぶるタオル地１枚、首、肩までかけるタオル地１枚、後ろ首部のマジックテープにより脱着が出来る。各部位には、指のあて方、手順などが描かれており、ひと目で、ほぐしポイントがわかるようになっている。リンパの流れをよくするため胸部付近にホットカイロなどが入れられるポケットが付いている。
以上の構成よりなるヘッドマッサージ専用タオル。
【発明の効果】
【０００６】  マッサージポイントが、ひと目でわかる。指のあて方、手順もひと目でわかる。
家庭でリフレッシュできる。デドックス効果が、期待できる。
【図面の簡単な説明】
【０００７】
【図１】本発明の斜視図
【図２】本発明の使用状態を示す斜視図
【図３】本発明の斜視図
【発明を実施するための形態】
【０００８】  以下の、本発明の実施の形態を説明する。
（イ）タオル地（１）、（２）をマジックテープ（４）、（５）で繋ぐ。
（ロ）タオル地（１）には、前、横、上、後、各部にそれぞれ、ほぐしポイント（６）、（７）が描かれている。
（ハ）タオル地（２）には、ポケット（３）が付いている。
本発明は以上のような構造である。
本発明を使用するときは、タオル地（１）、（２）に描かれている（６）、（７）、（８）（９）の印に指をあて、手順に従い、適度な力で、もみほぐし、指圧します。
なお、ポケット（３）にホットカイロなど温かい物を入れ、リンパの流れをよくします。デドックス効果が期待されます。
【符号の説明】
【０００９】１  頭部タオル、２  首、肩部タオル、３  ポケット部、４  マジックテープ凸部
５  マジックテープ凹部、６  ポイント印（前）、７  ポイント印（後）、
８  ポイント印（首）、９  ポイント印（肩）
【図１】
2015062646.tif 000003
【図２】
2015062646.tif 000004
【図３】
2015062646.tif 000005
(57)【要約】【課題】  従来、重水素減少水（ＤＤＷＡＴＥＲ）は精密蒸留、アンモニア分解等を用いて通常水の重水素濃度１５０ｐｐｍから１４９ｐｐｍ以下に重水素濃度を低下させて製造されており設備も巨大な蒸留塔などの設備を使用する必要があり、生産効率も重力の力のみの分離方法だと、２０ｍ以上の高い蒸留塔を使っても、１回の蒸留で、１５０ｐｐｍから１００ｐｐｍ程度にしか重水素濃度が下がらず時間もエネルギーもかかる。【解決手段】通常水から重水素減少水（ＤＤＷＡＴＥＲ）を製造するにあたり遠心分離法を用いて効果的に重水素減少水（ＤＤＷＡＴＥＲ）を製造する方法を開発し製造装置を製作する。【選択図】図１
2015062884.tif 000002
【特許請求の範囲】
【請求項１】
遠心分離を用いて水を軽水と重水に分離して、重水素濃度が１４９ｐｐｍ以下の重水素減少水（ＤＤＷＡＴＥＲ）を製造する方法。
【請求項２】
水を沸騰させ水蒸気にする装置、水蒸気を冷却して軽水と重水を回収する装置を備えた遠心分離を用いた重水素減少水（ＤＤＷＡＴＥＲ）製造装置。
【発明の詳細な説明】
【技術分野】
【０００１】  本発明は、重水素減少水（ＤＤＷＡＴＥＲ）を遠心分離を用いて製造をおこなうものである。
【背景技術】
【０００２】  従来、重水素減少水（ＤＤＷＡＴＥＲ）は精密蒸留、アンモニア分解等を用いて通常水の重水素濃度１５０ｐｐｍから１４９ｐｐｍ以下に重水素濃度を低下させて製造されており設備も巨大な蒸留塔などの設備を使用する。
【発明の概要】
【発明が解決しようとする課題】
【０００３】  しかしながら、重力の力のみの分離方法だと、２０ｍ以上の高い蒸留塔を使っても、１回の蒸留で、１５０ｐｐｍから１００ｐｐｍ程度にしか重水素濃度が下がらず時間もエネルギーもかかる。
【課題を解決するための手段】
【０００４】  本発明者等は係る課題を解決するために鋭意研究したところ、安定同位体の分離については、化学的性質が同一の為、質量の違い等を利用した物理的な方法で分離されることに注目し通常水（１５０ｐｐｍ）から、軽水（Ｈ２Ｏ）と重水（Ｄ２ＯまたはＤＨＯ）を分離または濃縮するには、核燃料（天然ウラン）からウラン２３５（核分裂するウラン）を濃縮する方法と、ほぼ同じである判断した。【０００５】  核燃料（天然ウラン）からウラン２３５（核分裂するウラン）を濃縮するには遠心分離法が用いられており、通常水を水蒸気にして遠心分離することにより下方部分には重量があり沸点が高い重水（Ｄ２Ｏ）が濃縮され、上部の蒸気には、軽い軽水（Ｈ２Ｏ）が濃縮される。【０００６】  通常水を水蒸気化して遠心分離することにより効率的に重水素減少水（ＤＤＷＡＴＥＲ）の製造が可能となる。【０００７】  すなわち本発明は、従来の通常水を水蒸気にする精密蒸留法に遠心分離法を組合わせた重水素減少水（ＤＤＷＡＴＥＲ）製造装置を開発し効率的な重水素減少水（ＤＤＷＡＴＥＲ）の製造方法を提供するものである。
【発明を実施するための形態】
【０００８】  本発明は、通常水から重水素減少水（ＤＤＷＡＴＥＲ）を製造するにあたり遠心分離を用いて効果的に重水素減少水（ＤＤＷＡＴＥＲ）を製造する方法を開発し製造装置を製作する。
【０００９】  製造方法は通常水を沸騰させ水蒸気にして遠心分離器の回転体に吸入、高速回転する回転体内で重量があり沸点が高い重水（Ｄ２Ｏ）が濃縮され、上部の蒸気には、軽い軽水（Ｈ２Ｏ）が濃縮される。
【００１０】  回転体内で濃縮された重水（Ｄ２Ｏ）と軽水（Ｈ２Ｏ）の水蒸気はポンプを使ってそれぞれの回収タンクに冷却器で液体に戻されて回収される。
【発明の効果】
【００１１】  以上説明したように、本発明によれば重水素濃度１４９ｐｐｍ以下の重水素減少水（ＤＤＷＡＴＥＲ）を製造するにあたり通常水を水蒸気化する精密蒸留法と遠心分離法を組合わせることにより、重力の力だけの分離より効果的に分離させることができる。
【図面の簡単な説明】
【００１２】
【図１】重水素減少水製造装置の概要
【図２】回転体の内部の各パイプ、ヒーターの設置
【図３】設置例
【発明を実施するための最良の形態】
【００１３】  本発明は、重水素減少水（ＤＤＷＡＴＥＲ）を効率よく製造する方法とそれを行なう製造装置である。【００１４】  以下図をもって本発明を詳細に説明するが、本発明の範囲はこれに限定されるものではない。【００１５】  遠心分離法を使った製造装置は、本体は回転体（１）、モーター（２）、ヒーター（１６）、各配管類（１３）（１４）（１５）で構成される。【００１６】  水蒸気発生装置（８）で発生した水蒸気はポンプ（１０）により気圧を高められた一時保管タンク（７）に入り水蒸気吸入バルブ（４）の開放により回転体（１）に吸入される。【００１７】  回転体（１）は高速回転中も内部のヒーター（１６）により内部は１００℃以上に保たれており遠心分離により上部に軽水（Ｈ２Ｏ）の水蒸気、下部に重水（Ｄ２Ｏ）の水蒸気が集まる。【００１８】  次に軽水排出バルブ（３）重水排出バルブ（５）が開放され、重水素減少水回収タンク（１３）と重水回収タンク（１４）に付けられたポンプ（１０）（１０）によって吸引される。【００１９】  吸引された水蒸気は軽水水蒸気冷却器（６）重水水蒸気冷却器（９）により液体に戻されて重水素減少水回収タンク（１１）と重水回収タンク（１２）に回収される。【００２０】  再度、水蒸気吸入バルブ（４）が開放され同じ工程が繰り返されることになる。【００２１】  回転体は、図３のように設置するのが最適となる。高強度の金属製の設置用フレーム（１８）を作成し、高強度のベアリング等で回転体を支える。
【符号の説明】
【００２２】１回転体
２モーター
３軽水排出バルブ
４水蒸気吸入バルブ
５重水排出バルブ
６軽水水蒸気冷却器
７一時保管タンク
８水蒸気発生装置
９重水水蒸気冷却器
１０ポンプ
１１重水素減少水回収タンク
１２重水回収タンク
１３重水回収パイプ
１４水蒸気吸入パイプ
１５系水回収パイプ
１６ヒーター
１７ベアリング
１８設置用フレーム
１９設置用土台
【図１】
2015062884.tif 000003
【図２】
2015062884.tif 000004
【図３】
2015062884.tif 000005
(57)【要約】      （修正有）【課題】原子力発電所等から発生するトリチウムを含む処理水の固化方法を提供する。【解決手段】原子力発電所から排出されるトリチウムを含む処理水と半水石膏を反応させ、処理水を二水石膏の結晶水に取り込む。【選択図】なし【特許請求の範囲】
【請求項１】
原子力発電所から排出されるトリチウムを含む処理水と半水石膏を反応させ二水石膏の成型体を作製し、トリチウムを含む処理水を二水石膏の結晶水に取り込むことによってこの処理水の固化体を作製することを特徴とする作製装置とその作製方法。
【請求項２】
原子力発電所から排出されるトリチウムを含む処理水と半水石膏を反応させ二水石膏の成型体を作製し、トリチウムを含む処理水を二水石膏の結晶水に取り込むことによってこの処理水の固化体を作製し、この固化体をシリコン被膜で覆うことを特徴とする固化体の作製装置とその固化体の作製方法。
【発明の詳細な説明】
【技術分野】
【００１】  本発明は福島第一原子力発電所の事故によって発生した放射能汚染水の海洋への拡散を防止するための処理方法に関するものである。
【背景技術】
【００２】  従来、福島第一原子力発電所の事故による発電所構内の地下に滞留しているストロンチウムやトリチウム等を含む放射能汚染水の水位レベルが高くなると水圧で汚染水が地下水脈経路を通して海洋に流れるおそれがあり、これを防止するために発電所建屋内に滞留した放射能汚染水を汲み上げ水位を下げ、発電所構内の仮設タンクに一時的に貯蔵し、ストロンチウム等の放射性物質を吸着除去後、処理水を海洋投棄しようとする計画がある。
【発明が解決しようとする課題】
【００３】  そのために、次のような問題点があった。
（イ）仮設タンクに貯蔵された放射能汚染水中に溶解したストロンチウム等の放射性物質はイオン交換樹脂等で吸着分離できるが、重水素であるトリチウム水はそれ自体が化学的に水分子であるため除去することが難しいので、処理水をタンクに貯蔵保管するか、海洋投棄するか、処分する方法が限られているという問題点があった。
（ロ）トリチウムを含む処理水を希釈して海洋投棄すれば、放射性物質の海洋汚染になるという問題点があった。
（ハ）また、トリチウムを含む処理水をタンクに貯蔵保管することも可能であるが、タンクの腐食等による漏れが発生したり、再度の地震等によってタンクが破損し、処理水が海洋に流れ海洋汚染を引き起こすという問題点があった。
【課題を解決するための手段】
【００４】  上記、問題点を解決するための手段は下記のとおりである。
（イ）上記トリチウムを含む処理水を半水石膏（ＣａＳＯ４・１／２Ｈ２Ｏ）によって固化させ二水石膏（ＣａＳＯ４・２Ｈ２Ｏ）とし処理水を二水石膏の結晶水として取り込み、固形化する。
（ロ）二水石膏の結晶水として取り込まれたトリチウムを含む処理水の成型された固化体である二水石膏を一度流動状態のシリコーンシーラント等に浸し、その後取り出し乾燥しシリコンで覆う。
【発明の効果】
【００５】  本件の発明は下記の効果がある。
（イ）上記のトリチウムを含む処理水が二水石膏として成型され固化体になったため流動性がないので、野積みしても海洋に流れないという効果がある。
（ロ）上記の成型された処理水を含む二水石膏体は野積みされてもシリコンによって覆われシールされているので、成型された後の二水石膏体のトリチウムを含む付着水分が蒸発しても大気中に拡散しないという効果がある。またこの固化体を仮に深海に海洋投棄してもシリコンによって覆われているのでトリチウムが海水中に拡散しないという効果がある。
（ハ）上記のシリコンで覆われた成型された処理水を含む二水石膏体とシリコンの剥離性が非常に良くシリコンを分離することが容易であるので固化された二水石膏を再度処理することも可能であるという効果もある。
（ニ）上記の成型された処理水を含む二水石膏中の結晶水中に存在するトリチウムの半減期は１２．３２年であるので長期にわたり監視する必要はあるが比較的陸上で管理し易いという効果がある。
【発明を実施するための最良の形態】
【００６】  以下、本発明の実施の形態について説明する。
（イ）トリチウムを含む処理水を半水石膏によって成型する場合、成型容器の内面に分離した袋状のシリコン容器を置き、その中に上記処理水を注ぎ、次に粉末状の半水石膏を注ぎ処理水面まで半水石膏を入れ、ゆっくり撹拌し約３０分で固化するまで待つ。
（ロ）成型された固化した二水石膏は最初に成型容器を分離し、次に成型された二水石膏に付着した上記のシリコンの袋を剥がす。
（ハ）シリコン袋を剥がされた成型された二水石膏を流動状態のシリコーンシーラントに一度浸し、その後成型体をシリコーンシーラントから分離してシリコンを乾燥させ、シリコンで覆われたトリチウムを含む二水石膏の固化体を完成させる。
（ニ）乾燥したシリコンで覆われたトリチウムを含む二水石膏の固化体は管理場に運ばれ管理される。
(57)【要約】【課題】天井がたかく、くらいところの非常灯を点検するときでも、点検棒と一体となった、ライトが、真鍮洋折の先に、照明があたることで、反射による光を、はなすため、点検用のプルスイッチを、みえやすくなり、作業効率があがります。【解決手段】点検棒（１）の先端に、真鍮洋折（２）を固定し、５ＬＥＤ小型ライト（３）を軸の上部に装着し、取付バンド（４）で軸と一体となった。ライトつき非常灯検査棒を特徴とする。【選択図】図１
2015062155.tif 000002
【特許請求の範囲】
【請求項１】
点検棒のパイプ軸（１）の先端に、真鍮洋折（２）を軸に差し込み固定する。軸の上部に、小型ライト（３）を装着し、取付バンド（４）で固定した。
ライトつき非常灯点検棒。
【発明の詳細な説明】
【技術分野】
【０００１】この発明は、パイプ軸の先端に、真鍮洋折（サイズ２８ｍｍブロンズ）を差し込み、固定し、軸の上部に、５ＬＥＤライトを装着した点検棒に関するものである。
【背景技術】
【０００２】従来、検査棒とライト（懐中電灯）は別々になっていた。
【先行技術文献】
【０００３】
【特許文献１】
【発明の概要】
【発明が解決しようとする課題】
【０００４】これは、次のような欠点があった。検査用のプルスイッチをさがすとき、従来、暗い、高い天井で、非常灯の点検時、みつかりにくく、持ち懐中電灯で、さがすため、二人がかりになり、手間が、かかりました。
本発見は、以上のような点を、なくすために、なされたものである。
【課題を解決するための手段】
【０００５】点検棒  パイプ軸（１）の先端に細い真鍮洋折（２）を設け、軸の上部に５ＬＥＤの小型ライト（３）を装着し、軸に取付バンド（４）で固定した。
本発明は、以上の構成によるライトつき非常灯点検棒である。
【発明の効果】
【０００６】ライトと、検査の軸と、一体になっているので、天井の高く、くらいところでもライトを、てらすことにより、先端の真鍮洋折部分に、反射により光を発するため、点検用プルスイッチが、みえやすく、らくに動作チェックができます。
【図面の簡単な説明】
【０００７】
【図１】本発明の斜視図である。
【図２】本発明の斜視図である。
【発明を実施するための形態】
【０００８】以下、本発明を実施するための形態について説明する。
点検棒のパイプ軸（１）の先端に、真鍮洋折（２）を差し込み、固定し、軸の上部に、真鍮洋折の先端方向にライトの照明が、あたるように、５ＬＥＤ小型ライト（３）を設けて、取付バンド（４）で固定する。
本発明は、以上のような構造である。
検査棒を使用することで、ライトと軸が一体となっているため、作業がしやすく、効率があがります。
【符号の説明】
【０００９】１  パイプ軸
２  真鍮洋折（サイズ２８ｍｍブロンズ）
３  ５ＬＥＤ小型ライト
４  取付バンド
【図１】
2015062155.tif 000003
【図２】
2015062155.tif 000004
(57)【要約】【課題】複数種の干渉性ガスを吸着、除去できる分析装置用フィルタを提供することである。【解決手段】塵埃除去可能な通気性を備えた有底筒状体６に干渉成分と反応して固定できる剤を含浸させるとともに干渉性ガスの成分を吸着する多孔質粒子７を収容して構成した。【選択図】図１
2015025761.tif 000002
【特許請求の範囲】
【請求項１】
塵埃除去可能な通気性を備えた有底筒状体に第一の干渉成分と反応して固定できる剤を含浸させるとともに第二の干渉性ガスの成分を吸着する多孔質粒子を収容して構成した分析装置用フィルタ。
【請求項２】
前記干渉性ガスが硫化水素で前記剤が銀塩である請求項１に記載の分析装置用フィルタ。
【請求項３】
前記干渉性ガスが硝酸で前記剤が水酸化マグネシウムである請求項１に記載の分析装置用フィルタ。
【請求項４】
前記有底筒状体が繊維で構成されている請求項１に記載の分析装置用フィルタ。
【発明の詳細な説明】
【技術分野】
【０００１】
本発明は、被分析気体に含まれる２種類の干渉ガスを除去する分析装置に適したフィルタに関する。
【背景技術】
【０００２】
大気中に存在する目的ガスを検出する場合にセンサの種類によっては選択性の関係で目的ガス以外の成分による干渉を受け、誤差が生じるという問題を解消するために干渉性ガスを選択的に吸着、除去できる特許文献１に見られるようなフィルタが使用されている。
【０００３】
しかしながら、複数種の干渉性ガスを除去する場合には干渉性ガス毎に適した２種類のフィルタを縦続接続する必要があり流路構造が複雑化するという問題がある。
【先行技術文献】
【特許文献】
【０００４】
【特許文献１】特開２００３−２３２７７０号公報
【発明の概要】
【発明が解決しようとする課題】
【０００５】
本発明はこのような問題に鑑みてなされたものであってその目的とするところは、複数種の干渉性ガスを吸着、除去できる分析装置用フィルタを提供することである。
【課題を解決するための手段】
【０００６】
このような課題を達成するために本発明は、塵埃除去可能な通気性を備えた有底筒状体に第一の干渉成分と反応して固定できる剤を含浸させるとともに第二の干渉性ガスの成分を吸着する多孔質粒子を収容して構成した。
【発明の効果】
【０００７】
単一のフィルタで２種類の干渉成分と塵埃とを単一のフィルタ手段で除去できるので流路の構造の簡素化とフィルタ手段の交換作業の簡素化を図ることができる。
【図面の簡単な説明】
【０００８】
【図１】図（ａ）、（ｂ）は、それぞれ本発明の一実施例を示す断面図と、有底筒状体の一実施例を示す斜視図である。
【発明を実施するための形態】
【０００９】
図１（ａ）は、本発明のフィルタ本体が組み込まれたガス検出装置のフィルター部の一実施例を示すものであって、ガス検出装置のサンプリング流路に連通する流入口１、流出口２を備えた収容ケース３、４には、周囲からサンプリングガスが流通できるように一定の間隙５を確保してフィルタ本体を構成する有底筒状体６（図（ｂ）参照）が格納されている。
【００１０】
この有底筒状体６は、パルプ繊維、ポリエステル繊維やガラス繊維を有底容器状にプレス加工して構成されている。
この有底筒状体６には例えば特開２００９−１２２００１号公報に見られるような方法、つまり硝酸銀（ＡｇＮＯ3）の溶液に有底筒状体６を浸漬し、十分含浸させた時点で引き上げ、水分を完全に揮散させる。これにより有底筒状体６全体の通気性を損なうことなく、有底筒状体６を構成する親水性繊維に銀塩が含浸される。
【００１１】
有底筒状体６には第二の干渉成分、例えばアルコール等の有機溶媒の蒸気を効果的に吸収し、被検出ガスの吸収が可及的に少ない多孔質粒状体７、例えばシリカ粒子または（及び）アルミナ粒子が収容されている。
なお、図中符号８は、多孔質粒状体が有底筒状体６から漏れるのを防止するための通気性の押蓋を示す。
【００１２】
この実施例によればサンプリング流路を流れるサンプリングガスは、流入口１から有底筒状体６の開口部から流入し、ここに収容されている多孔質粒状体７に接触しながら収容ケース４を通過して塵埃等の異物を除去され、同時にサンプリングガスに含まれている硫化水素も除去される（図（ａ）の点線矢印はサンプリングガスの流れを示す。）。
【００１３】
すなわち、硫化水素は、有底筒状体６に含浸されている硝酸銀と
Ｈ2Ｓ ＋ ２ＡｇＮＯ3 → Ａｇ2Ｓ ＋ ２ＨＮＯ3
なる反応により硫化水素の硫黄分が硫化銀（Ａｇ2Ｓ）として有底筒状体６に固定され、干渉成分、及び塵埃が除去されたサンプリングガスが流出口２から図示しない検出器に流入する。
【００１４】
一方、多孔質粒状体７もしくは有底筒状体６の銀塩がフィルタとしての機能を消失した場合には単一のフィルタ本体を交換するだけで塵埃除去、２種類の干渉成分の除去の機能を回復させることができる。
【００１５】
なお、上述の実施例においては干渉成分としての硫化水素を除去する場合について説明したが、他の干渉成分、例えば硝酸を除去する場合には有底筒状体６に水酸化マグネシウムを含浸させれば良い。
【符号の説明】
【００１６】
１  流入口    ２  流出口    ３、４  収容ケース    ６  有底筒状体    ７  多孔質粒状体
【図１】
2015025761.tif 000003
(57)【要約】      （修正有）【課題】建築件数が比較的多いと思われる中高層マンション及びオフィスビルを地震の揺れから守り、室内の家具の転倒、物の散乱や火災の発生を防ぎ、人命の安全を図る免震工法及び装置を提供する。【解決手段】耐震性能に適合した鉄骨鉄筋コンクリート造りの丈夫な建物の中に、コンクリート躯体壁１から少し空間をあけて別に居住部の骨組み３、４、５を造り、二重壁１、３の構造にする。そこでコンクリート床２と居住部の床５との間にボールキャスター反転式免震装置６をセットして、居住部の揺れを免震させる構造とする。【選択図】図１
2015025350.tif 000002
【特許請求の範囲】
【請求項１】
ダブルウォール工法
（１）鉄骨鉄筋コンクリート造りの建物の中にコンクリート躯体壁（１）から空間をあけて、居住部の骨組（３）を独立して造る。
（２）居住部の骨組の壁（３）や天井（４）の全体を、コンクリート躯体壁との間に空間を設けて、地震の揺れを遮断する。唯一揺れが伝わる床部（５）には、ボールキャスター反転式免震装置（６）を配置して揺れを逃がす構造とする。
【請求項２】
ボールキャスター反転式免震装
（１）基礎又は床（２）に固定する皿板（７）と、荷重を受承する上板（８）との間に、上板の下側にボールキャスター（９）を単数又は複数取り付けて、皿板の上を３６０度水平方向に転がる構造とする。
（２）皿板は、上板より面積を広くし、中心が低く外側へ高くなる様に少し勾配をつける。これでボールキャスターが中心位置を保つ事になる。
（３）上板と皿板を接続する目的と、キャスターを常に皿板の中心へ引戻す役割を果たす為に、上板の外端から皿板の外端へ伸縮性に富むコイルスプリング（１０）を放射状に張り巡らせる。
【発明の詳細な説明】
【発明の詳細な説明】
【技術分野】
【０００１】この発明のダブルウォール免震工法とは、鉄骨鉄筋コンクリート造りの建物の中に、別に居住部の骨組を造り、コンクリート躯体壁と居住部の壁、天井との間に空間をあける事で、地震の揺れが遮断される。唯一震動が伝わるのは床だけの構造となり、コンクリート床と居住部の床との間にボールキャスター反転式免震装置を配置して、揺れを弱めて居住部の安全をはかる。ダブルウォール工法と免震装置の機能が合わさって効果を発揮する技術である。
【背景技術】
【０００２】
2015025350.tif 000003
代表的な技術を一覧表に挙げてみると、それぞれ長所短所があり向き不向きもある。
高い建物や大規模建築になる程、複数の装置を駆使して対応する必要がある様に思われる。
【発明が解決しようとする課題】
【０００３】地震の震動の伝わり方には、短周期地震動と長周期地震動があり、短周期地震動は激震を伴い、特に低層から中高層建物の被害が大きいと云われている。
一般的に建築件数が多いと思われる中高層マンションやオフィスビル等の居住部の揺れを免震させて家具の転倒、物の散乱や火災の発生を防ぐと共に、恐怖を感じない建物にする目的の工法である。
【課題を解決するための手段】
【０００４】（１）耐震性能に適合した丈夫な鉄骨、鉄筋コンクリートの躯体（１）を造り躯体コンクリート床（２）に免震装置（６）を固定、配置する。
（２）コンクリート躯体の壁から空間をあけて、免震装置の上に居住部の床（５）を張り、壁（３）天井（４）の骨組みを造り、本体の揺れが直接伝わらない構造にする。
【発明を実施するための形態】
【０００５】耐震性能に適合した鉄骨鉄筋コンクリート造りの丈夫な建物の中に、コンクリート躯体の壁から少し空間をあけ、居住部の骨組みを独立して建てて二重壁構造にする。
本体のコンクリート床と居住部の床の間には免震装置を配置して、地震によって本体が大きく揺れても中の居住部の揺れは小さい揺れですみ、安全の確保が出来る。
【発明の効果】
【０００６】ダブルウォール工法に免震装置をセットにした事で、建物本体は耐震性能に適合した丈夫な建物で倒壊を防ぎ、中の居住部は本体の揺れを直接受ける事が無いため揺れも小さくなる。結果、家具の転倒、物の散乱や火災の発生を防ぐと共に、恐怖を感じる事も無くなれば、落ち着いて避難行動も出来る。また、二重壁にする事で熱伝導が低くなり、省エネ効果も期待でき防音効果も高まる。以上の効果はダブルウォール工法とボールキャスター反転式免震装置の互いの良い機能が働く事により得られる物で、どちらか一方が欠けても効果は得られない事になる。
【図面の簡単な説明】
【図１】  ダブルウォール工法  側面図
【図２】  ボールキャスター反転式免震装置  断面図
【図３】  ボールキャスター反転式免震装置  平面図
【符号の説明】（１）は、コンクリート躯体壁  （６）は、ボールキャスター反転式免震装置
（２）は、コンクリート床      （７）は、皿板
（３）は、居住部壁            （８）は、上板
（４）は、居住部天井          （９）は、ボールキャスター
（５）は、居住部床            （１０）は、コイルスプリング
【図１】
2015025350.tif 000004
【図２】
2015025350.tif 000005
【図３】
2015025350.tif 000006
(57)【要約】      （修正有）【課題】伸縮自在にコンパクトにできる構造構成で且つ、携帯用として持ち歩くため、ハンドバック程度の袋物に入れられる大きさに縮められる帽体を提供する。【解決手段】立体形状は多角錐形状で二等辺三角形の平板イを適宜枚数用いて接合用の生地ロでもって連結することで多角錐形状の帽体Ａとなる。この帽体Ａを縮めるために二等辺三角形の平板イの連結とする構造としたもので、二等辺三角形の平板イをすべて重ね合せることで、コンパクトとなり持ち歩きに手軽な防災用携帯安全帽である。【選択図】図１
2015025232.tif 000002
【特許請求の範囲】
【請求項１】
伸縮自在にコンパクトにできる帽体で、立体形状は多角錐形状で二等辺三角形の平板を適宜枚数用いて接合用の生地でもって連結し多角錐形状の帽体にすることで、既存のヘルメット同様の頭の保護機能となる。又、多角錐形状の帽体をコンパクトにするには、本帽体に用いている二等辺三角形の平板を重ね合せることで、二等辺三角形の平面の縮小の形状となり、持ち歩きに手軽な防災用携帯安全帽となる。
【請求項２】
コンパクトになった帽体を伸ばし、広げて、多角錐形状の帽体とするには、この帽体の天井部に適宜な穴を設け、この穴にかぶせる目的と多角錐形状の帽体の安定を保持する目的のためとするフタ付き固定係止具を着脱自在にできるように取付けた持ち歩きに手軽な防災用携帯安全帽である。
【請求項３】
フタ付き固定係止具の中心部にフタ部分から底面に貫通した小さな穴目を設け、この穴目には、補助紐を通し、この紐の最下部分には固定係止具を結合させ、この紐の上部分には固定係止具のフタ部の小さな穴目を通し、固定係止具の補助となる補助係止具をも通して、最上部分には飾り具を取付ける構造となる。すなわち、補助紐の引張り動作でもって、多角錐形状の帽体とするための手段の補助となる一体化の構造である。
【請求項４】
フタ付き固定係止具の底面には、帽体の天井部の穴より若干大きな平板を固着させ、又一方の、フタの表面にも、帽体の天井部の穴より大きな平板を固着させた構造である。
【請求項５】
帽体の装着具であるヘッドバンドとハンモックを一体とし、又、耳紐とあご紐を一体として、帽体を嵌入する接合用生地の内側面の適宜箇所に付着させる構造である。
【発明の詳細な説明】
【技術分野】
【０００１】  伸縮自在に出来る帽体で、立体形状は多角錐形状で、二等辺三角形の平板を適宜枚数用いて接合用の生地でもって連結した帽体とする。【０００２】  立体形状で多角錐形状の帽体となるが、この状態をコンパクトにする手段は、原形の二等辺三角形状になるように二等辺三角形の平板を重ね合せることで縮小の形状となる。
【背景技術】
【０００３】  既存のヘルメットは半円形で立体形状は丸みある帽体で、持ち歩きに手軽な帽体には出来ないため、立体形状は多角錐形状とするために、二等辺三角形の平板を連結する構造とした物体としたものである。
【発明の開示】
【発明が解決しようとする課題】
【０００４】  防災用携帯安全帽として持ち歩ける帽体とする伸縮自在な構造とする。【０００５】  立体形状は多角錐形状の帽体とするも、コンパクトな形状にするには、二等辺三角形の平板を適宜枚数用いて連結させることで、縮小させるには、二等辺三角形の平板の形状になるように、二等辺三角形の平板を重ね合わせることでコンパクトな物体となる帽体である。
【課題を解決するための手段】
【０００６】  二等辺三角形の平板を適宜枚数用いて、接合用の生地でもって連結することで、伸縮自在にできる帽体として立体形状は多角錐形状の帽体となり、コンパクトにする平板としては、二等辺三角形の平板を重ね合わせることで縮小した物体となる帽体である。【０００７】  立体形状で多角錐形状となる帽体の形状維持のための手段としては、帽体の天井部に形状維持を目的とするフタ付き固形係止具を着脱自在になるように取り付けるための穴を設け、この固定係止具のフタ部と固定係止具の底面の中心部分に小さな穴目を設けてこの穴目に補助紐を通した状態で固定係止具の底面に補助紐の先端部を固着させ、もう一方の先端部には、フタの表面に固着した大きな平板と補助係止具の穴目を通して飾り具を取り付ける構造とする。
【発明の効果】
【０００８】  既存のヘルメット同様の機能として頭の保護帽となり、持ち歩きに手軽な帽体として防災用携帯安全帽として活用できることで、外出先の災害に対する防災具として役立つものである。
【発明を実施するための最良の形態】
【０００９】  本発明は、伸縮自在にできる帽体とする為の構造で、立体形状は多角錐形状の帽体（Ａ）である。多角錐形状の帽体（Ａ）にするためには二等辺三角形の平板（イ）を適宜枚数用いて接合用の生地（ロ）でもって連結し、この多角錐形状の帽体（Ａ）の天井部に多角錐形状の維持を目的とするフタ（ハ）付き固定係止具（ニ）を着脱自在にできるように取り付けるための穴（ａ）を設け、この穴（ａ）に固定係止具（ニ）の底面に固着した平板（ｂ）を、帽体の天井部裏側に重ね合わせた状態で嵌入させ、フタ（ハ）を付着することで、フタの表面に固着した平板（ｃ）が帽体の天井部表側に重なり合う状態となり帽体とフタ付き固定係止具が一体となり一時固定できることになる。【００１０】帽体とフタ付き固定係止具の一体化とする一時固定の補助として、補助紐（ホ）と穴付き補助係止具（ｆ）が必要とするものでフタ及び固定係止具それぞれの中心部に小さな穴目（ｄ）（ｅ）を設け、このそれぞれの小さな穴目に補助紐（ホ）を通し、補助紐の先端部と固定係止具の底面に固着させた平板（ｂ）を固定し、一方の先端部は、穴付き補助係止具（ｆ）を通して、飾り具（ｇ）と固定する構造である。【００１１】  多角錐形状の帽体（Ａ）をコンパクト化の帽体形状（Ｂ）にするには帽体に用いた二等辺三角形の平板を重ね合わせることで縮小したコンパクトな帽体形状となる。【００１２】  帽体の装着具とするヘッドバンド（ヘ）、ハンモック（ト）、耳紐（チ）、あご紐（リ）等々は、帽体を嵌入する接合生地の内側の一部に付着させる。
【図面の簡単な説明】
【００１３】
【図１】  立体形状の帽体立体図
【図２】  コンパクト化の帽体立面図
【図３】  帽体平面断面図
【符号の説明】
【００１４】（Ａ）多角錐形状の帽体
（Ｂ）コンパクト化の帽体形状
（イ）二等辺三角形の平板
（ロ）接合用の生地
（ハ）フタ
（ニ）固定係止具
（ホ）補助紐
（ヘ）ヘッドバンド
（ト）ハンモック
（チ）耳紐
（リ）あご紐
（ａ）穴（帽体天井部に設けた穴）
（ｂ）平板（固定係止具の底面に固着させた平板）
（ｃ）平板（固定係止具のフタ表面に固着した平板）
（ｄ）小さな穴目（固定係止具に設けた穴目）
（ｅ）小さな穴目（フタに設けた穴目）
（ｆ）穴付き補助係止具
（ｇ）飾り具
【図１】
2015025232.tif 000003
【図２】
2015025232.tif 000004
【図３】
2015025232.tif 000005